(57)【要約】【課題】撮影時間が長い動画像の内容を短時間で把握することを可能にする。【解決手段】動画像の再生に際し、再生対象の動画像を時間的に分割し複数の動画像を生成した後、生成した複数の動画像ＧＡ，ＧＢ，ＧＣを再生して表示手段に同時表示させる。【選択図】図５
2011109419.tif 000002
【特許請求の範囲】
【請求項１】
動画像を再生する動画再生装置において、
動画像を表示する表示手段と、
再生対象の動画像を時間で複数に分割する分割手段と、
この分割手段により分割された複数の動画像を前記表示手段に同時に再生させる再生手段と
を備えたことを特徴とする動画再生装置。
【請求項２】
前記分割手段は、前記再生対象の動画像を複数の動画像に等分割することを特徴とする請求項１記載の動画再生装置。
【請求項３】
前記再生対象の動画像の分割数を設定する分割数設定手段を更に備え、
前記分割手段は、前記再生対象の動画像を前記分割数設定手段により設定された前記分割数で分割する
ことを特徴とする請求項１又は２記載の動画再生装置。
【請求項４】
前記分割数設定手段は、ユーザの操作に基づいて分割数を設定することを特徴とする請求項３記載の動画再生装置。
【請求項５】
前記再生対象の動画像の再生時間をユーザに設定させる再生時間設定制御手段と、
この再生時間設定制御手段がユーザに設定させた前記再生時間に応じた分割数を計算する計算手段と
を更に備え、
前記分割数設定手段は、前記計算手段により計算された分割数を前記再生対象の動画像の分割数として設定する
ことを特徴とする請求項３記載の動画再生装置。
【請求項６】
前記再生対象の動画像における再生を不要とする期間をユーザに設定させる不要期間設定制御手段を更に備え、
前記分割手段は、前記再生対象の動画像における、前記不要期間設定制御手段がユーザに設定させた再生を不要とする期間を除く再生期間を対象として、再生対象の動画像を時間で分割することを特徴とする請求項１乃至５いずれか記載の動画再生装置。
【請求項７】
前記表示手段が表示中の複数の動画像の再生位置を表す再生位置情報を、複数の動画像と共に前記表示手段に表示させる表示制御手段を更に備えたことを特徴とする請求項１乃至６いずれか記載の動画再生装置。
【請求項８】
動画像を再生する動画再生方法であって、
再生対象の動画像を時間で複数に分割する分割ステップと、
この分割ステップにて分割した複数の動画像を表示手段に同時に再生させる再生ステップと
を含むことを特徴とする動画再生方法。
【請求項９】
動画像を再生する動画再生装置が有するコンピュータを、
動画像を表示する表示手段、
再生対象の動画像を時間で複数に分割する分割手段、
この分割手段により分割された複数の動画像を表示手段に同時に再生させる再生手段
として機能させることを特徴とするプログラム。
【発明の詳細な説明】
【技術分野】
【０００１】
本発明は、デジタルカメラ等に用いて好適な動画再生技術に関するものである。
【背景技術】
【０００２】
従来、動画像の再生に関する技術として、低解像度で撮影した動画像に対し、所定の画像処理により実質解像度を向上させる高解像度化を行うことによって、低解像度で撮影した動画像を高解像度で再生することを可能とする技術が公知である（例えば、特許文献１参照。）。上記技術によれば、動画像の再生時において、撮影された被写体の細かい被写体部分（例えば小さな文字）を確認する場合には、細かい被写体部分の確認作業を容易に行うことができる。
【先行技術文献】
【特許文献】
【０００３】
【特許文献１】特開２００７−２７１６９０号公報
【発明の概要】
【発明が解決しようとする課題】
【０００４】
上記の技術によれば動画像における細かい被写体部分の確認作業は容易となるが、動画像の全体の内容を確認するためには、依然として動画像を最初から最後まで見る必要がある。したがって、上記の技術を用いたとしても、撮影時間が長い動画像の内容を確認する場合には、動画像の内容を短時間で把握することができないという問題点があった。
【０００５】
本発明は、かかる従来の課題に鑑みてなされたものであり、撮影時間が長い動画像の内容を短時間で把握することを可能にする動画再生技術を提供することを目的とする。
【課題を解決するための手段】
【０００６】
前記課題を解決するため、請求項１記載の発明に係る動画再生装置にあっては、動画像を再生する動画再生装置において、動画像を表示する表示手段と、再生対象の動画像を時間で複数に分割する分割手段と、この分割手段により分割された複数の動画像を前記表示手段に同時に再生させる再生手段とを備えたことを特徴とする。
【０００７】
また、請求項２記載の発明に係る動画再生装置にあっては、前記分割手段は、前記再生対象の動画像を複数の動画像に等分割することを特徴とする。
【０００８】
また、請求項３記載の発明に係る動画再生装置にあっては、前記再生対象の動画像の分割数を設定する分割数設定手段を更に備え、前記分割手段は、前記再生対象の動画像を前記分割数設定手段により設定された前記分割数で分割することを特徴とする。
【０００９】
また、請求項４記載の発明に係る動画再生装置にあっては、前記分割数設定手段は、ユーザの操作に基づいて分割数を設定することを特徴とする。
【００１０】
また、請求項５記載の発明に係る動画再生装置にあっては、前記再生対象の動画像の再生時間をユーザに設定させる再生時間設定制御手段と、この再生時間設定制御手段がユーザに設定させた前記再生時間に応じた分割数を計算する計算手段とを更に備え、前記分割数設定手段は、前記計算手段により計算された分割数を前記再生対象の動画像の分割数として設定することを特徴とする。
【００１１】
また、請求項６記載の発明に係る動画再生装置にあっては、前記再生対象の動画像における再生を不要とする期間をユーザに設定させる不要期間設定制御手段を更に備え、前記分割手段は、前記再生対象の動画像における、前記不要期間設定制御手段がユーザに設定させた再生を不要とする期間を除く再生期間を対象として、再生対象の動画像を時間で分割することを特徴とする。
【００１２】
また、請求項７記載の発明に係る動画再生装置にあっては、前記表示手段が表示中の複数の動画像の再生位置を表す再生位置情報を、複数の動画像と共に前記表示手段に表示させる表示制御手段を更に備えたことを特徴とする。
【００１３】
また、請求項８記載の発明に係る動画再生方法にあっては、動画像を再生する動画再生方法であって、再生対象の動画像を時間で複数に分割する分割ステップと、この分割ステップにて分割した複数の動画像を表示手段に同時に再生させる再生ステップとを含むことを特徴とする。
【００１４】
また、請求項９記載の発明に係るプログラムにあっては、動画像を再生する動画再生装置が有するコンピュータを、動画像を表示する表示手段、再生対象の動画像を時間で複数に分割する分割手段、この分割手段により分割された複数の動画像を表示手段に同時に再生させる再生手段として機能させることを特徴とする。
【発明の効果】
【００１５】
本発明によれば、撮影時間が長い動画像の内容を短時間で把握することが可能となる。
【図面の簡単な説明】
【００１６】
【図１】各実施形態に共通するデジタルカメラの外観を示す図である。
【図２】各実施形態に共通するデジタルカメラのブロック図である。
【図３】第１の実施形態においてＣＰＵが実行する分割表示処理を示すフローチャートである。
【図４】分割後の動画データの一例を示す概念図である。
【図５】分割後の動画像を再生しているときの表示画面の一例を示した図である。
【図６】第２の実施形態においてＣＰＵが実行する分割表示処理を示すフローチャートである。
【図７】第３の実施形態においてＣＰＵが実行する分割表示処理を示すフローチャートである。
【図８】再生不要部分設定画面を示す図である。
【図９】再生対象となる分割後の動画データの例を示す概念図である。
【発明を実施するための形態】
【００１７】
以下、本発明の実施形態について説明する。
（実施形態１）
まず、本発明の第１の実施形態について説明する。図１は、本発明の動画再生装置として機能するデジタルカメラ１の外観を示す図であり、図１（ａ）はデジタルカメラ１の正面を示す斜視図、図１（ｂ）は背面を示す斜視図である。
【００１８】
デジタルカメラ１は、静止画像及び動画像の記録及び再生が可能なものであって、薄型の本体２を有している。本体２の上面には電源キー３と、シャッターキー４とが設けられており、本体２の正面には撮影レンズ５が設けられている。また、本体２の背面には、液晶モニタ６と、モード切換スイッチ７、メニュー（ＭＥＮＵ）キー８、カーソルキー９が設けられており、カーソルキー９の中央部にはセットキー１０が設けられている。
【００１９】
液晶モニタ６は、記録モードの設定中にはＥＶＦ（Electric View Finder）として機能し、被写体の画像をライブビュー表示し、再生モードが設定中には、記録済の静止画像や動画像を表示する。また、液晶モニタ６は、デジタルカメラ１の動作中には種々の設定画面やメニュー画面も表示する。
【００２０】
モード切換スイッチ７は、デジタルカメラ１の基本の動作モードである撮影用の記録モードと、記録画像の再生用の再生モードとの切り替えを行うためのスライドスイッチである。
【００２１】
メニューキー８は、デジタルカメラ１の動作内容に関する種々の設定を行うための設定画面を液晶モニタ６に表示させるために使用される。
【００２２】
カーソルキー９は、液晶モニタ６に種々の設定画面やメニュー画面が表示されているとき、ユーザによる設定項目の選択や、設定値の入力（又は選択）に使用される。また、セットキー１０は、設定画面やメニュー画面において選択又は入力された設定内容の決定に使用される。
【００２３】
なお、デジタルカメラ１においては、記録モードの下位モードとして静止画撮影の静止画撮影モードと動画撮影用の動画撮影モードとが設けられており、ユーザは、記録モードの設定中にメニューキー８及びカーソルキー９、セットキー１０を操作することによって、動作モードを静止画撮影モードと動画撮影モードとに随時切り替え可能である。
【００２４】
図２は、デジタルカメラ１の電気的構成の概略を示すブロック図である。デジタルカメラ１は装置全体を制御するＣＰＵ１１を有している。ＣＰＵ１１には、バス１２を介して、撮像部１３と、画像記憶部１４、操作部１５、表示部１６、ＲＯＭ１７、ＲＡＭ１８、動画分割処理部１９がそれぞれ接続されている。
【００２５】
撮像部１３は、被写体に応じた撮像信号を出力するＣＣＤやＣＭＯＳ型の撮像素子と、撮像素子から出力された撮像信号を処理するとともにデジタル信号に変換するＡＦＥ（Analog Front End）とから構成される。そして、撮像部１３は、記録モードの設定中に被写体の画像データを取得し、つまり被写体を撮像し、取得した被写体の画像データをＣＰＵ１１へ供給する。
【００２６】
画像記憶部１４は、撮像部１３により取得された画像データに基づく静止画像や動画像のデータを記憶する。画像記憶部１４は、例えばデジタルカメラ１の本体２に内蔵されたフラッシュメモリや、本体２に着脱自在な各種のメモリカードにより構成される。
【００２７】
操作部１５は、図１に示した電源キー３と、シャッターキー４等の各種のスイッチ類から構成され、ユーザにより各種のスイッチ類の操作状態を示す操作信号をＣＰＵ１１へ随時供給する。
【００２８】
表示部１６は、図１に示した液晶モニタ６を構成するバックライト付きのカラー液晶表示パネルと、撮像部１３によって取得された画像データ等に応じてカラー液晶表示パネルを駆動する表示駆動回路とから構成され、本発明の表示手段として機能する。
【００２９】
ＲＯＭ１７には、ＣＰＵ１１にデジタルカメラ１を制御させるために必要な各種の制御プログラムが記憶されている。制御プログラムには、ＣＰＵ１１を本発明の分割手段、再生手段、分割数設定手段として機能させるためのプログラムが含まれる。また、ＲＯＭ１７には、ＣＰＵ１１に、画像記憶部１４に記録する静止画像や動画像のデータを生成させるためのプログラムも記憶されている。
【００３０】
そして、ＣＰＵ１１は、静止画撮影モードでシャッターキー４が押された撮影時には、撮像部１３から供給された被写体の画像データをＪＰＥＧ（Joint Photographic Expert Group）方式等の所定の圧縮方式により圧縮し、圧縮後の画像データを静止画ファイルとして画像記憶部１４に記憶させる。また、ＣＰＵ１１は、動画撮影モードによる動画撮影時には、撮像部１３から所定のフレームレートで供給される被写体の画像データを、Ｍｏｔｉｏｎ−ＪＰＥＧ方式や、ＭＰＥＧ（Motion Picture Experts Group）方式等の所定の圧縮方式により圧縮し、圧縮後の画像データを動画ファイルとして画像記憶部１４に記憶させる。さらに、ＣＰＵ１１は、再生モードにおいては、画像記憶部１４に静止画ファイル又は動画ファイルとして記憶されている画像データを伸張し表示部１６へ供給する。
【００３１】
ＲＡＭ１８はＣＰＵ１１の外部メモリであり、ＣＰＵ１１が画像データの圧縮、及び伸張を含む種々の処理を行う際に画像データ等のデータを一時的に記憶する。
【００３２】
動画分割処理部１９は本発明の分割手段として機能する部分であり、例えばＡＳＩＣ（Application Specific Integrated Circuit）により構成される。動画分割処理部１９は、画像記憶部１４に動画ファイルとして記憶されている複数フレーム分の画像データ（以下、動画データという。）を、ＣＰＵ１１の命令に従い複数期間分の動画データに分割する。動画分割処理部１９によって分割された複数期間分の動画データはＲＡＭ１８に記憶される。
【００３３】
次に、以上の構成からなるデジタルカメラ１の本発明に係る動作について説明する。デジタルカメラ１には再生モードの下位モードとして分割表示モードが予め用意されている。分割表示モードは、ユーザがメニューキー８及びカーソルキー９、セットキー１０を操作することにより随時設定可能な動作モードであり、画像記憶部１４に記憶されている任意の動画像を複数に分割した状態で液晶モニタ６上に表示する動作モードである。
【００３４】
そして、デジタルカメラ１においては、ユーザにより分割表示モードが設定されると、ＣＰＵ１１が、例えば画像記憶部１４に記憶されている画像を液晶モニタ６に一覧表示させた状態で、再生対象（表示対象）の画像としてユーザに所望の画像を選択させた後、図３のフローチャートに示した以下の分割表示処理を実行する。
【００３５】
ＣＰＵ１１は、ユーザによって再生対象の画像が選択されると、まず再生対象の画像が動画像であるか否かを確認し、再生対象の画像が動画像でないときには（ステップＳＡ１：ＮＯ）、直ちに分割表示処理を終了する。
【００３６】
また、ＣＰＵ１１は、再生対象の画像が動画像であったときには（ステップＳＡ１：ＹＥＳ）、ユーザによる動画分割の指示を検出したか否かを確認する（ステップＳＡ２）。ステップＳＡ２においてＣＰＵ１１は、例えば液晶モニタ６に、動画分割の中止とを選択させる所定の選択画面を表示させるとともに、ユーザに所定のキー操作によって動画像の分割、又は中止を選択させる。そして、ＣＰＵ１１は、動画分割の指示が検出できなかったとき、つまりユーザにより動画分割の中止が選択されたときには（ステップＳＡ２：ＮＯ）、直ちに分割表示処理を終了する。
【００３７】
一方、ＣＰＵ１１は、ユーザによる動画分割の指示を検出すると、つまりユーザにより動画像の分割が選択されると（ステップＳＡ２：ＹＥＳ）、所定の分割数設定画面を液晶モニタ６に表示させる（ステップＳＡ３）。分割数設定画面はユーザに２以上の任意の分割数を設定させるためのものであり、例えば初期値として「２」を表示したものである。
【００３８】
分割数設定画面の表示後、ＣＰＵ１１は、ユーザによって例えばセットキー１０の押下による分割数の指示、すなわち分割数の確定操作があるまで（ステップＳＡ４：ＮＯ）、分割数設定画面の表示を継続する。なお、分割数設定画面の表示中においてＣＰＵ１１は、ユーザによるカーソルキー９の操作に応じて表示中の分割数を増減（但し、最小値は「２」）させる。そして、ＣＰＵ１１は、ユーザによって分割数の確定操作が行われたら（ステップＳＡ４：ＹＥＳ）、以下の処理を行う。
【００３９】
まず、ＣＰＵ１１は、ユーザに指示された分割数に応じて、表示対象の動画像を均等な時間で分割するための処理を行う（ステップＳＡ５）。ステップＳＡ５においてＣＰＵ１１は、表示対象の動画像のデータを画像記憶部１４から読み出して動画分割処理部１９へ供給するとともに、ユーザに指示された分割数を示す情報を動画分割処理部１９に供給する。これによりＣＰＵ１１は、動画分割処理部１９に、ユーザに指示された分割数で動画像を分割させ、分割後の複数（ユーザに指示された分割数）の動画データをＲＡＭ１８に記憶させる。
【００４０】
図４は、ユーザに指示された分割数が「３」である場合における表示対象の動画データ１０５と、ＲＡＭ１８に記憶される分割後における第１〜第３の動画データＡ〜Ｃを示した図である。図４にｔ０〜ｔ３で示した位置は、第１〜第３の動画データＡ〜Ｃの先頭及び末尾の時間位置であり、ｔ１，ｔ２が分割位置である。また、第１〜第３の動画データＡ〜Ｃの長さ（時間）は、それぞれが表示対象の動画データ１０１の長さ（時間）ｔの３分の１である。
【００４１】
引き続き、ＣＰＵ１１は、分割後の動画像の先頭画像、すなわち先頭フレームの静止画像を液晶モニタ６の同一画面上に並べて表示する（ステップＳＡ６）。以後、ＣＰＵ１１は、ユーザによる再生指示が検出できるまで、例えばセットキー１０の押下が検出できるまで（ステップＳＡ７：ＮＯ）、分割後の動画像の先頭画像を液晶モニタ６に表示した状態を維持する。そして、ＣＰＵ１１は、ユーザによる再生指示が検出できたら（ステップＳＡ７：ＹＥＳ）、分割後の動画像を一斉に再生する（ステップＳＡ８）。
【００４２】
図５は、分割後の動画像を再生しているときの液晶モニタ６の表示画面６ａの一例を示した図であり、再生対象の動画像が図４に示したように３分割された場合の例を示した図である。また、再生対象の動画像は、被写体（ここでは自動車）の周囲を時計方向に移動しながら、被写体を３６０°の外周から連続撮影した動画像であり、ＧＡが第１の動画データＡに基づく第１の動画像、ＧＢが第２の動画データＢに基づく第２の動画像、ＧＣが第３の動画データＣに基づく第３の動画像である。
【００４３】
また、図５に例示したように、ステップＳＡ８の処理に際してＣＰＵ１１は、液晶モニタ６の表示画面６ａに、各動画像ＧＡ，ＧＢ，ＧＣに近接して、それぞれの先頭及び末尾の時間位置ｔ０〜ｔ３、及び現在の再生位置を示すバー２０１とからなる再生ガイド２０２を個別に表示させる。再生ガイド２０２は本発明の再生位置情報である。
【００４４】
その後、ＣＰＵ１１は、分割後の動画像ＧＡ，ＧＢ，ＧＣの再生が終了した時点で（ステップＳＡ９：ＹＥＳ）、分割表示処理を終了する。
【００４５】
以上のように本実施形態のデジタルカメラ１においては、分割表示モードで動画像を表示する際には、再生対象の動画像を時間的に分割し、分割後の複数の動画像ＧＡ，ＧＢ，ＧＣを同時に再示して液晶モニタ６の表示画面６ａに一斉に表示（同時表示）する。したがって、ユーザが撮影時間の長い動画像を再生する際には、分割表示モードを使用して動画像を再生すれば、動画像の内容を短時間で把握することが可能となる。例えば再生対象の動画像が、図５に例示したように被写体を３６０°の外周から連続撮影した動画像である場合には、被写体の全体像を短時間で知ることができる。
【００４６】
また、デジタルカメラ１においては、分割表示モードを使用して動画像を再生する際、ユーザが動画像の分割数を必要に応じて、又は好みに応じて自由に設定することができるため、使い勝手がよい。
【００４７】
また、デジタルカメラ１においては、各動画像ＧＡ，ＧＢ，ＧＣの表示中には、各動画像ＧＡ，ＧＢ，ＧＣの現在の再生位置を示す再生ガイド２０２を表示させるため、これによっても使い勝手がよい。
【００４８】
なお、本実施形態では、本発明の再生位置情報として、動画像ＧＡ，ＧＢ，ＧＣにおける現在の再生位置を個別に示す再生ガイド２０２を表示する構成とした。しかし、再生ガイド２０２は、例えば動画像ＧＡ，ＧＢ，ＧＣにおいて共通する、各動画像の先頭位置からの相対的な再生位置を示すバー２０１のみからなるもの、つまり単一のバー２０１に変更しても構わない。
【００４９】
また、本実施形態においては、再生対象の動画像を動画分割処理部１９がＣＰＵ１１の命令に従い複数の動画像（動画データ）に分割する構成とした。しかし、本発明の実施に際しては、動画分割処理部１９を廃止するとともに、再生対象の動画像を分割する処理をＣＰＵ１１に行わせる構成としてもよい。
【００５０】
（実施形態２）
次に、本発明の第２の実施形態について説明する。本実施形態は、第１の実施形態で説明したものと同様の構成を備える一方、第１の実施形態とは異なる分割表示処理をＣＰＵ１１に行わせるためのプログラムがＲＯＭ１７に記憶されたデジタルカメラに関するものである。
【００５１】
本実施形態のデジタルカメラにおいて、ＣＰＵ１１は、分割表示モードで再生対象（表示対象）の画像としてユーザに所望の画像を選択させた後には、図６のフローチャートに示した以下の分割表示処理を実行することにより、本発明の分割手段、再生手段、分割数設定手段、再生時間設定制御手段、計算手段として機能する。
【００５２】
図６に示したように、ＣＰＵ１１は、ユーザによって再生対象の画像が選択されると、まず再生対象の画像が動画像であるか否かを確認し、再生対象の画像が動画像でないときには（ステップＳＢ１：ＮＯ）、直ちに分割表示処理を終了する。
【００５３】
また、ＣＰＵ１１は、再生対象の画像が動画像であったときには（ステップＳＢ１：ＹＥＳ）、動画分割の中止とを選択させる所定の選択画面を表示させて、ユーザによる動画分割の指示が検出したか否かをさらに確認する（ステップＳＢ２）。そして、ＣＰＵ１１は、動画分割の指示が検出できなかったとき、つまりユーザにより動画分割の中止が選択されたときには（ステップＳＢ２：ＮＯ）、直ちに分割表示処理を終了する。ここまでの処理は第１の実施形態と同様である。
【００５４】
一方、本実施形態においてＣＰＵ１１は、ユーザによる動画分割の指示を検出すると、つまりユーザにより動画像の分割が選択されると（ステップＳＢ２：ＹＥＳ）、所定の再生時間設定画面を液晶モニタ６に表示させる（ステップＳＢ３）。再生時間設定画面は、希望する再生時間をユーザに設定させるためのものであり、例えば初期値として予め決められている最短時間を表示したものである。再生時間設定画面の表示中においてＣＰＵ１１は、ユーザによるカーソルキー９の操作に応じて再生時間を、予め決められている最短時間を超える範囲内で増減させる。
【００５５】
再生時間設定画面の表示後、ＣＰＵ１１は、ユーザによって例えばセットキー１０の押下による再生時間の指示、すなわち再生時間の確定操作があるまで（ステップＳＢ４：ＮＯ）、再生時間設定画面の表示を継続する。そして、ＣＰＵ１１は、ユーザによって再生時間の確定操作が行われたら（ステップＳＢ４：ＹＥＳ）、以下の処理を行う。
【００５６】
まず、ＣＰＵ１１は、再生対象の動画像に対する分割数であって、ユーザに設定された希望再生時間に応じた分割数を計算する（ステップＳＢ５）。すなわちＣＰＵ１１は、例えば再生対象の動画像の長さが１２分の場合においては、ユーザに設定された希望再生時間が３分のときには分割数として「４」を取得し、かつユーザに設定された希望再生時間が４分のときには分割数として「３」を取得する。
【００５７】
引き続き、ＣＰＵ１１は、ステップＳＢ５で計算した分割数に応じて、再生対象の動画像を均等な時間で分割するための処理を行う（ステップＳＢ６）。ステップＳＢ６においてＣＰＵ１１は、再生対象の動画像のデータを画像記憶部１４から読み出して動画分割処理部１９へ供給するとともに、ユーザに指示された分割数を示す情報を動画分割処理部１９に供給する。これによりＣＰＵ１１は、動画分割処理部１９に、ユーザに指示された分割数で動画像を分割させ、分割後の複数（ユーザに指示された分割数）の動画データをＲＡＭ１８に記憶させる。
【００５８】
なお、ステップＳＢ５で計算した分割数が「３」である場合、ステップＳＢ６の首里に際しては、第１の実施形態と同様に、図４に示した第１〜第３の動画データＡ〜ＣがＲＡＭ１８に記憶される。
【００５９】
以後、ＣＰＵ１１は、第１の実施形態で既説した図３のステップＳＡ６〜ＳＡ９の処理と同様の処理を行う（ステップＳＢ７〜ＳＢ１０）。すなわちＣＰＵ１１は、分割後の複数の動画像の先頭画像を液晶モニタ６の同一画面上に並べて表示した後（ステップＳＢ７）、ユーザによる再生指示が検出できた時点で（ステップＳＢ８：ＹＥＳ）、分割後の複数の動画像の一斉再生を開始する（ステップＳＢ９）。なお、本実施形態においてもＣＰＵ１１は、複数の動画像を再生している間、複数の動画像に近接して再生ガイドを個別に表示させる（図５参照）。その後、ＣＰＵ１１は、分割後の動画像の再生が終了した時点で（ステップＳＢ１０：ＹＥＳ）、分割表示処理を終了する。
【００６０】
以上のように本実施形態のデジタルカメラにおいても、第１の実施形態と同様、分割表示モードで動画像を表示する際には、再生対象の動画像を時間的に分割し、分割後の複数の動画像を同時に再生して液晶モニタ６の表示画面６ａに一斉に表示（同時表示）する。したがって、ユーザが撮影時間の長い動画像を再生する際には、分割表示モードを使用して動画像を再生すれば、動画像の内容を短時間で把握することが可能となる。
【００６１】
また、本実施形態のデジタルカメラにおいても、第１の実施形態と同様、分割後の各動画像の表示中には、各動画像の現在の再生位置を示す再生ガイド２０２を表示させるため、使い勝手がよい。
【００６２】
一方、本実施形態のデジタルカメラにおいては、ユーザが分割後の複数の動画像の再生時間を必要に応じて、又は好みに応じて自由に設定することができ、しかも、設定した再生時間に応じて動画像の分割数が自動的に計算される。したがって、これによっても使い勝手がよい。
【００６３】
（実施形態３）
次に、本発明の第３の実施形態について説明する。本実施形態は、第１の実施形態で説明したものと同様の構成を備える一方、第１及び第２の実施形態とは異なる分割表示処理をＣＰＵ１１に行わせるためのプログラムがＲＯＭ１７に記憶されたデジタルカメラに関するものである。
【００６４】
本実施形態のデジタルカメラにおいて、ＣＰＵ１１は、分割表示モードで再生対象（表示対象）の画像としてユーザに所望の画像を選択させた後には、図７のフローチャートに示した以下の分割表示処理を実行することにより、本発明の分割手段、再生手段、分割数設定手段、分割数設定制御手段、不要期間設定制御手段として機能する。
【００６５】
図７に示したように、ＣＰＵ１１は、ユーザによって再生対象の画像が選択されると、まず再生対象の画像が動画像であるか否かを確認し、再生対象の画像が動画像でないときには（ステップＳＣ１：ＮＯ）、直ちに分割表示処理を終了する。
【００６６】
また、ＣＰＵ１１は、再生対象の画像が動画像であったときには（ステップＳＣ１：ＹＥＳ）、動画分割の中止とを選択させる所定の選択画面を表示させて、ユーザによる動画分割の指示が検出したか否かをさらに確認する（ステップＳＣ２）。そして、ＣＰＵ１１は、動画分割の指示が検出できなかったとき、つまりユーザにより動画分割の中止が選択されたときには（ステップＳＣ２：ＮＯ）、直ちに分割表示処理を終了する。ここまでの処理は第１及び第２の実施形態と同様である。
【００６７】
一方、本実施形態においてＣＰＵ１１は、ユーザによる動画分割の指示を検出すると、つまりユーザにより動画像の分割が選択されると（ステップＳＣ２：ＹＥＳ）、図８に示した再生不要部分設定画面３０１を液晶モニタ６に表示させる（ステップＳＣ３）。
【００６８】
再生不要部分設定画面３０１は、再生対象の動画像において再生を不要とする部分をユーザに設定させるためのものである。再生不要部分設定画面３０１は、カーソルキー９の操作によって、ユーザに再生不要部分として「前半」、「後半」、「中間」のいずれかを選択させるものである。但し、再生不要部分設定画面３０１には、再生不要部分を指定しないことを指示する「全再生」も選択可能である。また、ＣＰＵ１１は、表示直後の初期状態では再生不要部分設定画面３０１を「前半」が選択された状態とする。なお、再生不要部分設定画面３０１の表示中における設定終了の操作（選択内容の確定操作）はセットキー１０の押下である。
【００６９】
引き続き、ＣＰＵ１１は、再生不要部分設定画面３０１においてユーザにより再生不要部分（「前半」、「後半」、「中間」のいずれか）が設定されたときには（ステップＳＣ４：ＹＥＳ）、設定された再生不要部分に応じたフレーム期間をスキップするよう再生対象部分を決定し、決定した再生対象部分（フレーム期間）を示す再生対象情報を記憶する（ステップＳＣ５）。
【００７０】
ステップＳＣ５の処理においてＣＰＵ１１が記憶する再生対象情報は、例えば再生対象の動画像の長さ（全撮影時間）が３分である場合には以下の情報である。すなわち再生不要部分が「前半」であれば、再生対象情報は、動画像の後半１分３０秒のフレーム期間を示す情報である。また、再生不要部分が「後半」であれば、動画像の前半１分３０秒のフレーム期間を示す情報である。また、再生不要部分が「中間」であれば、動画像の先頭１分のフレーム期間、及び最後１分のフレーム期間を示す情報である。
【００７１】
そして、ＣＰＵ１１はステップＳＣ５の処理後には、所定の分割数設定画面を液晶モニタ６に表示させる（ステップＳＣ７）。
【００７２】
他方、ＣＰＵ１１は、再生不要部分設定画面３０１においてユーザにより「全再生」が設定された場合には（ステップＳＣ４：ＮＯ）、再生対象の動画像の全てを再生対象部分として決定し、決定した再生対象部分を示す再生対象情報、つまり全フレーム期間を示す情報を記憶する（ステップＳＣ６）。しかる後、ＣＰＵ１１は、所定の分割数設定画面を液晶モニタ６に表示させる（ステップＳＣ７）。
【００７３】
ステップＳＣ７の処理においてＣＰＵ１１が液晶モニタ６に表示させる分割数設定画面は、第１の実施形態における分割数設定画面と同様に、ユーザに２以上の任意の分割数を設定させるためのものであり、例えば初期値として「２」を表示したものである。
【００７４】
分割数設定画面の表示後、ＣＰＵ１１は、ユーザによって例えばセットキー１０の押下による分割数の指示、すなわち分割数の確定操作があるまでは（ステップＳＣ８：ＮＯ）、分割数設定画面の表示を継続する。なお、本実施形態においてもＣＰＵ１１は、ユーザによるカーソルキー９の操作に応じて分割数設定画面に表示中の分割数を増減（但し、最小値は「２」）させる。そして、ＣＰＵ１１は、ユーザによって分割数の確定操作が行われたら（ステップＳＣ８：ＹＥＳ）、以下の処理を行う。
【００７５】
まず、ＣＰＵ１１は、ユーザに指示された分割数に応じて、再生対象である動画像の再生対象部分を均等な時間で分割するための処理を行う（ステップＳＣ９）。ステップＳＣ９においてＣＰＵ１１は、再生対象の動画像のデータを画像記憶部１４から読み出して動画分割処理部１９へ供給するとともに、ステップＳＣ５の処理又はステップＳＣ６の処理で記憶した再生対象情報と、ユーザに指示された分割数を示す情報を動画分割処理部１９に供給する。これによりＣＰＵ１１は、動画分割処理部１９に、動画像の再生対象部分の動画データをユーザに指示された分割数で分割させ、分割後の複数（ユーザに指示された分割数）の動画データをＲＡＭ１８に記憶させる。
【００７６】
図９は、ユーザに指示された分割数が「３」である場合における再生対象の動画データ１０１と、ＲＡＭ１８に記憶される分割後における第１〜第３の動画データＡ〜Ｃを示した、図４に対応する図である。
【００７７】
図９（ａ）は、ユーザにより再生不要部分として「前半」が設定されていたときの例である。図９（ａ）に斜線で示した部分が再生不要部分の動画データ１０１ａであり、他の部分が再生対象部分の動画データ１０１ｂである。図９（ａ）にｔ０〜ｔ３で示した位置は、第１〜第３の動画データＡ〜Ｃの先頭及び末尾の時間位置であり、ｔ１，ｔ２が分割位置である。ここで、ｔ０で示した位置、つまり第１の動画データＡの先頭の時間位置は全撮影時間の１／２に対応する時間位置である。そして、第１〜第３の動画データＡ〜Ｃの長さ（時間）は、それぞれが再生対象部分の動画データ１０１ｂの長さ（時間）ｔｎの３分の１である。
【００７８】
また、図９（ｂ）は、ユーザにより再生不要部分として「中間」が設定されていたときの例である。図９（ｂ）に斜線で示した部分が再生不要部分の動画データ１０１ａであり、他の部分が再生対象部分の動画データ１０１ｂ，１０１ｃである。図９（ｂ）においてもｔ０〜ｔ３で示した位置は、第１〜第３の動画データＡ〜Ｃの先頭及び末尾の時間位置であり、ｔ１，ｔ２が分割位置である。ここで、第２の動画データＢは、動画像の前半１／３の動画データ１０１ｂ中における最後１／３の部分と、動画像の後半１／３の動画データ１０１ｃ中における最初の１／３の部分とからなるデータである。そして、第１〜第３の動画データＡ〜Ｃの長さ（時間）は、それぞれが再生対象部分の動画データ１０１ｂ，１０１ｃの合計の長さ（時間）ｔｍの３分の１である。
【００７９】
以後、ＣＰＵ１１は、第１の実施形態で既説した図３のステップＳＡ６〜ＳＡ９の処理と同様の処理を行う（ステップＳＣ１０〜ＳＣ１３）。すなわちＣＰＵ１１は、分割後の動画像の先頭画像を液晶モニタ６の同一画面上に並べて表示した後（ステップＳＣ１０）、ユーザによる再生指示が検出できた時点で（ステップＳＣ１１：ＹＥＳ）、分割後の動画像の一斉再生を開始する（ステップＳＣ１２）。なお、本実施形態においてもＣＰＵ１１は、複数の動画像を再生している間、複数の動画像に近接して再生ガイドを個別に表示させる（図５参照）。その後、ＣＰＵ１１は、分割後の動画像の再生が終了した時点で（ステップＳＣ１３：ＹＥＳ）、分割表示処理を終了する。
【００８０】
以上のように本実施形態のデジタルカメラにおいても、第１及び第２の実施形態と同様、分割表示モードで動画像を表示する際には、再生対象の動画像を時間的に分割し、分割後の複数の動画像を同時に再生して液晶モニタ６の表示画面６ａに一斉に表示（同時表示）する。したがって、ユーザが撮影時間の長い動画像を再生する際には、分割表示モードを使用して動画像を再生すれば、動画像の内容を短時間で把握することが可能となる。
【００８１】
また、本実施形態のデジタルカメラにおいても、第１及び第２の実施形態と同様、各動画像の表示中には、分割後の各動画像の現在の再生位置を示す再生ガイドを表示させるため、使い勝手がよい。
【００８２】
一方、本実施形態のデジタルカメラにおいては、ユーザに、再生対象の動画像の再生不要部分（再生不要期間）を必要に応じて設定させ、設定された再生不要部分を除く部分（再生対象期間）のみを対象として動画像を分割した後、表示画面６ａに一斉に表示（同時表示）する。したがって、ユーザにあっては、動画像における確認が必要な部分の内容を短時間で把握することが可能となる。
【００８３】
なお、本実施形態のデジタルカメラでは、ユーザに、再生対象の動画像の再生不要部分を必要に応じて設定させ、設定された再生不要部分を除く部分のみを対象として動画像を分割する構成とした。しかし、本実施形態とは逆に、ユーザに、再生対象の動画像において再生を必要とする部分（再生対象期間）を設定させ、設定された部分のみを対象として動画像を分割する構成としてもよい。
【００８４】
また、本実施形態のデジタルカメラでは、ユーザに、再生不要部分として動画像の「前半」、「後半」、「中間」のいずれかを選択的に設定（指定）させる構成とした。しかし、本発明の実施に際しては、ユーザに再生不要部分として具体的な期間、例えば再生不要部分の先頭及び末尾の時間位置を自由に設定させる構成としてもよい。また、本実施形態のように、ユーザに、再生不要部分を選択的に設定させる構成、及び上記のように再生不要部分を自由に設定させる構成のいずれにおいても、再生不要部分として複数部分（複数期間）を設定可能としてもよい。
【００８５】
また、先に述べたように、ユーザに、再生対象の動画像において再生を必要とする部分（再生対象期間）を設定させる場合についても、再生を必要とする部分をユーザに自由に設定させてもよいし、さらに、再生を必要とする部分として複数部分（複数期間）を設定可能としてもよい。
【００８６】
ここで、以上説明した第１〜第３の実施形態においては、再生対象の動画像（又は再生不要部分を除く部分の動画像）をユーザの要求に応じた分割数で分割する構成とした。しかし、本発明の動画再生装置には、動画像の分割数を自動的に設定する構成を採用しても構わない。動画像の分割数を自動的に設定する方法としては、例えば動画像の分割数を、動画像の長さに応対して予め決められている分割数に設定する構成が考えられる。
【００８７】
また、動画像の分割数を自動的に設定する場合には、動画像は必ずしも均等な時間で分割しなくともよい。動画像を均等な時間で分割する場合には、例えば以下の方法によって分割位置（時間位置）を設定してもよい。すなわち再生対象の動画像（又は再生不要部分を除く部分の動画像）を対象として被写体の変化がある程度大きな特定位置を複数検出し、検出した複数の特定位置が分割後の動画像に均等に含まれるような位置を分割位置として設定してもよい。
【００８８】
また、第１〜第３の実施形態においては、本発明をレンズ一体式の一般的なデジタルカメラに適用した場合について説明したが、これに限らず本発明は携帯電話端末等の他の携帯情報機器に内蔵されているデジタルカメラやレンズ着脱式のデジタルカメラにも適用することができる。さらに、本発明は、動画像を再生し表示する機能を備えたものであれば、パーソナルコンピュータを含む任意の装置にも適用することができる。
【符号の説明】
【００８９】
１    デジタルカメラ
６    液晶モニタ
７    モード切換スイッチ
８    メニューキー
９    カーソルキー
１０    セットキー
１１    ＣＰＵ
１３    撮像部
１４    記憶部
１５    操作部
１６    表示部
１７    ＲＯＭ
１８    ＲＡＭ
１９    動画分割処理部
【図１】
2011109419.tif 000003
【図２】
2011109419.tif 000004
【図３】
2011109419.tif 000005
【図４】
2011109419.tif 000006
【図５】
2011109419.tif 000007
【図６】
2011109419.tif 000008
【図７】
2011109419.tif 000009
【図８】
2011109419.tif 000010
【図９】
2011109419.tif 000011